(57)【特許請求の範囲】
【請求項１】
所定の長さと幅とを備えた板状の単板同士が接続されるときの前側の単板の進む方向の後端部に、次の後側の単板の進む方向の前端部が近接して対向するようにテープ貼付領域に位置決めされた前記前側の単板の後端部と前記次の後側の単板の前端部とに接続用テープを貼り付けて接続するテープ貼付装置と、
前記テープ貼付領域の後方側に設けられ、前記前側の単板の後端部と前記次の後側の単板の前端部の位置を検出する端部位置検出装置と、
この端部位置検出装置で検出された前記前側の単板の後端部の位置に基づいて前記前側の単板の後端部を前記テープ貼付領域に位置決めするように、前記前側の単板を前記進む方向の前方に搬送すべく、前記テープ貼付領域の前方側に固定して設けられた単板固定搬送装置と、
前記端部位置検出装置で検出された前記次の後側の単板の前端部の位置に基づいて前記次の後側の単板の前端部が前記テープ貼付領域に位置決めされた前記前側の単板の後端部に接近して対向するように、前記次の後側の単板を前記進む方向の前方に移動せしめて位置決めすべく、前記端部位置検出装置の後方側に設けられた単板移動搬送装置と、を備えているプリント配線板の単板接続装置において、
前記テープ貼付領域の後部に、前記次の後側の単板の前端部をテープ貼付高さ位置で載置する単板前端部載置領域を設け、前記単板移動搬送装置が、前記次の後側の単板を設置する際に前記次の後側の単板の前端部を前記単板前端部載置領域に載置可能な位置で待機する構成であることを特徴とするプリント配線板の単板接続装置。
【請求項２】
前記単板前端部載置領域の後端部が櫛歯形状をなす第１櫛歯部を有していると共に、前記単板移動搬送装置の前端部が前記第１櫛歯部の櫛歯形状と嵌合する逆型櫛歯形状をなす第２櫛歯部を有していることを特徴とする請求項１記載のプリント配線板の単板接続装置。
【請求項３】
前記第１櫛歯部の櫛歯形状が、前記次の後側の単板の前端部の幅方向の両端を載置可能に配置されていることを特徴とする請求項２記載のプリント配線板の単板接続装置。
【請求項４】
前記単板前端部載置領域に、前記端部位置検出装置を設置可能な位置検出装置用切欠き部を有していることを特徴とする請求項１、２又は３記載のプリント配線板の単板接続装置。
【請求項５】
前記位置検出装置用切欠き部が、切欠き窓であることを特徴とする請求項４記載のプリント配線板の単板接続装置。
【発明の詳細な説明】
【技術分野】
【０００１】
この発明は、プリント配線板の単板接続装置に関し、特にプリント配線板を製造する工程の途中で、プリント配線板の素材としての例えば所定の幅を具備した長いシート状の銅張積層板（通常、「ＣＣＬ」という）から所定の長さに切断された単板同士を互いに重ね合わせて同時に穿孔した後に、各単板同士を互いにつなげて次工程の回路形成加工を施すために、前記各単板同士を互いに接続用テープで貼り合わせるプリント配線板の単板接続装置に関する。
【背景技術】
【０００２】
近年、プリント配線板、例えばＦＰＣ（Flexible Printed Circuit）は生産量が急増している。従来、プリント配線板の製造方法としては、プリント配線板の素材としての例えば所定の幅を具備したシート状の銅張積層板（ＣＣＬ）からなる薄い板状の部材の両面に回路を形成するものであり、長いシート状のＣＣＬ（ポリイミド等の薄い板状のベース部材の両面に薄い導体膜が形成されている部材）を所定の長さの単板に切断し、この切断された各単板を互いに重ね合わせて貫通孔を同時にあけ、この貫通孔にスルーホールメッキを施し、このスルーホールメッキが施された各単板の両面の導体膜に、エッチング等によって回路を形成する方法が知られている。
【０００３】
なお、上記のスルーホールメッキは、前記プリント配線板の両面に形成された回路同士を互いに電気的に接続するために行われるものである。
【０００４】
また、前記従来の方法では、前記スルーホールメッキが施された各単板に対して回路を設ける際に、１枚ずつ離されている各単板ごとに回路を形成している。
【０００５】
一方、前記従来の他の方法では、前記スルーホールメッキが施された各単板を接続用テープなどを用いて互いに接続して長く形成してロール状に巻かれる。この長く接続された各単板がロールから繰り出されてその進む方向に送られつつ、前記各単板の両面に回路を形成し、別のロールに巻き取られるロール・ツゥ・ロール（Ｒ−Ｒ）方式が採られる。この方法のメリットは、「生産コストの低減」、「厚みが薄い高付加価値製品の生産が可能となる」などである。
【０００６】
ここで、前記複数の単板を接続する単板接続装置としては、特許文献１に示されているように、搬送装置で所定の位置まで搬送された前側の単板の後端部と、次の後側の単板の先端部とを互いに突き合わせて、接続用テープで前記前側の単板と前記次の後側の単板とを互いに接続し、前記搬送装置で前記次の後側の単板を前記所定の位置まで搬送する動作を繰り返し、複数の単板が長くつながるように接続する装置が知られている。
【０００７】
なお、前記単板を接続する単板接続装置では、互いが対向しているローラで前記単板を挟み込み、前記各ローラを回転し、前記単板を搬送するようになっている。
【０００８】
また、前記単板を接続する単板接続装置では、接続用テープで前記前側の単板と前記次の後側の単板とが、作業者の手作業によって互いに接続されている。
【０００９】
ところが、前記単板を接続する単板接続装置では、作業者の手作業によって接続用テープを各単板の突き合わせ部に貼ることにより、各単板同士が接続されているので、効率良く接続することができないという問題があった。
【００１０】
そこで、本出願人は、上記の問題を解消するために、図７に示されているように、複数の単板を効率よく接続する単板接続装置１０１を開発している。
【００１１】
すなわち、単板接続装置１０１の図示しない基台には、図７に示されているように前側の単板１０３Ａの進む方向の後端部１０３ＡＲに、次の後側の単板１０３Ｂの進む方向の前端部１０３ＢＦが近接して対向するように前記次の後側の単板１０３Ｂを位置決めして接続用テープ１０５を貼り付けるためのテープ貼付領域１０７が設けられている。
【００１２】
上記のテープ貼付領域１０７には、前記前側の単板１０３Ａの後端部１０３ＡＲと前記次の後側の単板１０３Ｂの前端部１０３ＢＦとを位置決めするための貼合せテーブル１０９が設けられ、この貼合せテーブル１０９で位置決めされた前側の単板１０３Ａと次の後側の単板１０３Ｂとを互いに接続するための接続用テープ１０５を収納したテープ貼付装置１１１が貼合せテーブル１０９の上方に設けられている。
【００１３】
また、上記のテープ貼付領域１０７に対して前記搬送方向の前方側には、前記前側の単板１０３Ａを真空吸着しつつ図７に示す矢印の搬送方向の前方側へ移動せしめるためのサクションコンベアなどの単板固定搬送装置１１３が設けられている。したがって、前記前側の単板１０３Ａとこの前側の単板１０３Ａに接続された前記次の後側の単板１０３Ｂが搬送される。
【００１４】
また、上記の単板固定搬送装置１１３に対して前記搬送方向の前方側（図７において右側）には、前記テープ貼付装置１１１で接続されてから前記単板固定搬送装置１１３で搬送される接続された複数枚の単板１０３をリール１１５（ボビン）に巻き取る単板巻取装置１１７が設けられている。
【００１５】
また、上記のテープ貼付領域１０７に対して前記搬送方向の後方側（図７において左側）には、前記前側の単板１０３Ａの後端部１０３ＡＲの位置、あるいは前記次の後側の単板１０３Ｂの前端部１０３ＢＦの位置を検出するための端部位置センサ１１９が設けられている。
【００１６】
上記の端部位置センサ１１９は、図７に示されているように前記搬送方向に対して直交する幅方向で単板１０３の両側端部が通過する位置付近の下方に配置されている。あるいは、投光部と受光部を上下に配置する場合もある。なお、前記端部位置センサ１１９は、前記前側の単板１０３Ａの後端部１０３ＡＲの位置、あるいは前記次の後側の単板１０３Ｂの前端部１０３ＢＦの位置を検出した検出データを送るように図示しない制御装置に接続されている。
【００１７】
また、上記のテープ貼付領域１０７並びに端部位置センサ１１９に対して前記搬送方向の後方側（図７において左側）には、前記次の後側の単板１０３Ｂを載置可能な平面状の部位を備えた可動テーブル１２１が前記搬送方向でテープ貼付領域１０７の貼合せテーブル１０９へ接近及び離反するように往復動自在に設けられている。
【００１８】
なお、前記可動テーブル１２１は、前記搬送方向の往復移動位置（あるいは移動距離）を正確に作動できるように構成されており、図示しない制御装置に接続されている。さらに、上記の可動テーブル１２１の上面には、前記単板１０３Ａ、１０３Ｂに設けられた位置決め用の基準穴１０３Ｈに挿入して係合される突起１２３が前記単板１０３Ａ、１０３Ｂの位置決めのために可動テーブル１２１の上面から上方へ出没自在に設けられている。
【００１９】
また、前記可動テーブル１２１の上面には複数の小さな貫通孔１２５が設けられており、これらの各貫通孔１２５を介して可動テーブル１２１の上面で前側の単板１０３Ａを真空吸着したり、あるいは前側の単板１０３Ａをエアーフロートしたりすることができるように構成されている。
【００２０】
上記の図７の単板接続装置１０１における単板接続工程としては、前側の単板１０３Ａが単板固定搬送装置１１３のサクションコンベアにより搬送方向の前方へ搬送される際に、図７の２点鎖線で示されているように前側の単板１０３Ａの進む方向の後端部１０３ＡＲの位置が端部位置センサ１１９で検出され、この検出されたデータが制御装置に送られる。制御装置では前側の単板１０３Ａの後端部１０３ＡＲの位置のデータに基づいて計算し、前記前側の単板１０３Ａの後端部１０３ＡＲをテープ貼付領域１０７の所定の位置で停止するように単板固定搬送装置１１３に指令が与えられる。
【００２１】
これにより、前記前側の単板１０３Ａが図７の矢印で示されているように前記搬送方向の前方へ搬送され、かつ、単板巻取装置１１７も同期して回転駆動され、接続された複数の単板１０３が前方側のリール１１５に巻き取られ、前記前側の単板１０３Ａの後端部１０３ＡＲがテープ貼付領域１０７の所定の位置、すなわち、貼合わせ中央位置ＴＣＬで停止する。
【００２２】
次いで、図７の２点鎖線で示されている次の後側の単板１０３Ｂは、後側の単板１０３Ｂに設けられた位置決め用の基準穴１０３Ｈに可動テーブル１２１の上面に突出した突起１２３が挿入されて可動テーブル１２１の上面に位置決めされ、可動テーブル１２１の上面で真空吸着される。
【００２３】
その後、作動スイッチＯＮにより、可動テーブル１２１が図７の矢印で示されているように前方へ前進し、前記次の後側の単板１０３Ｂの前端部１０３ＢＦの位置が端部位置センサ１１９で検出され、この検出されたデータが制御装置に送られる。制御装置では前記後側の単板１０３Ｂの前端部１０３ＢＦの位置のデータと、すでに停止している前記前側の単板１０３Ａの後端部１０３ＡＲの位置のデータに基づいて計算し、前記前側の単板１０３Ａの後端部１０３ＡＲと適正な間隔を介して近接する位置で停止するように可動テーブル１２１に指令が与えられる。
【００２４】
可動テーブル１２１は、前記前側の単板１０３Ａの後端部１０３ＡＲと前記後側の単板１０３Ｂの前端部１０３ＢＦとの間隔が適正な位置で停止する。
【００２５】
次いで、テープ貼付装置１１１により、接続用テープ１０５が前記各単板１０３Ａ、１０３Ｂの端部１０３ＡＲ、１０３ＢＦを覆うように貼り付けられて前記各単板１０３Ａ、１０３Ｂが接続される。
【００２６】
制御装置からの指令により、突起１２３が可動テーブル１２１の上面より下方へ没入し、可動テーブル１２１の上面の複数の小さな貫通孔１２５からエアが吹き出して前記後側の単板１０３Ｂがエアーフロートされるように切り替えられる。一方、単板固定搬送装置１１３が再び駆動して前側の単板１０３Ａとこの前側の単板１０３Ａに接続された後側の単板１０３Ｂが前記搬送方向の前方へ搬送されて、前述したように、前記後側の単板１０３Ｂの後端部１０３ＢＲの位置が端部位置センサ１１９で検出され、前記後側の単板１０３Ｂの後端部１０３ＢＲがテープ貼付領域１０７の貼合わせ中央位置ＴＣＬで停止する。これと同時に、前記可動テーブル１２１は後退して原位置へ復帰する。
【００２７】
以上のような動作が繰り返されることによって、複数枚の各単板１０３Ａ、１０３Ｂが接続用テープ１０５で長く接続されることになる。
【特許文献１】特開平７−９９３７９号公報
【発明の開示】
【発明が解決しようとする課題】
【００２８】
ところで、図７に示されている単板接続装置は、複数の単板を効率よく接続できるという点で優れているが、前記次の後側の単板１０３Ｂは少なくとも貼合せテーブル１０９の貼合わせ中央位置ＴＣＬまでの距離を可動テーブル１２１の前端から前方へ突出した状態で可動テーブル１２１にセットされるので、前記次の後側の単板１０３Ｂの前端側は図８（Ａ）に示されているように自重やそれ自体の変形により垂れてしまう現象が生じる。
【００２９】
特に、前記次の後側の単板１０３Ｂがメッキ無しで薄い場合は前記垂れ下がりの状態が大きくなる。この垂れ下がりの状態が大きくなると、図８（Ｂ）、（Ｃ）に示されているように可動テーブル１２１が前進したときに、前記次の後側の単板１０３Ｂの前端部１０３ＢＦが貼合せテーブル１０９の後端面に衝突し、前記次の後側の単板１０３Ｂが貼合せテーブル１０９と可動テーブル１２１の間に挟まってぐしゃぐしゃになってしまうという問題点があった。
【００３０】
なお、この図８（Ａ）では貼合せテーブル１０９が前方側に長く延伸され、この延伸された部分に前記前側の単板１０３Ａを停止時に真空吸着するための真空吸着装置等が備えられた形態であり、貼合せテーブル１０９の内部にはヒータがテープ貼付領域１０７に位置して埋め込まれている。
【００３１】
この発明は上述の課題を解決するためになされたものである。
【課題を解決するための手段】
【００３２】
上記発明が解決しょうとする課題を達成するために、この発明のプリント配線板の単板接続装置は、所定の長さと幅とを備えた板状の単板同士が接続されるときの前側の単板の進む方向の後端部に、次の後側の単板の進む方向の前端部が近接して対向するようにテープ貼付領域に位置決めされた前記前側の単板の後端部と前記次の後側の単板の前端部とに接続用テープを貼り付けて接続するテープ貼付装置と、
前記テープ貼付領域の後方側に設けられ、前記前側の単板の後端部と前記次の後側の単板の前端部の位置を検出する端部位置検出装置と、
この端部位置検出装置で検出された前記前側の単板の後端部の位置に基づいて前記前側の単板の後端部を前記テープ貼付領域に位置決めするように、前記前側の単板を前記進む方向の前方に搬送すべく、前記テープ貼付領域の前方側に固定して設けられた単板固定搬送装置と、
前記端部位置検出装置で検出された前記次の後側の単板の前端部の位置に基づいて前記次の後側の単板の前端部が前記テープ貼付領域に位置決めされた前記前側の単板の後端部に接近して対向するように、前記次の後側の単板を前記進む方向の前方に移動せしめて位置決めすべく、前記端部位置検出装置の後方側に設けられた単板移動搬送装置と、を備えているプリント配線板の単板接続装置において、
前記テープ貼付領域の後部に、前記次の後側の単板の前端部をテープ貼付高さ位置で載置する単板前端部載置領域を設け、前記単板移動搬送装置が、前記次の後側の単板を設置する際に前記次の後側の単板の前端部を前記単板前端部載置領域に載置可能な位置で待機する構成であることを特徴とするものである。
【００３３】
また、この発明のプリント配線板の単板接続装置は、前記プリント配線板の単板接続装置において、前記単板前端部載置領域の後端部が櫛歯形状をなす第１櫛歯部を有していると共に、前記単板移動搬送装置の前端部が前記第１櫛歯部の櫛歯形状と嵌合する逆型櫛歯形状をなす第２櫛歯部を有していることが好ましい。
【００３４】
また、この発明のプリント配線板の単板接続装置は、前記プリント配線板の単板接続装置において、前記第１櫛歯部の櫛歯形状が、前記次の後側の単板の前端部の幅方向の両端を載置可能に配置されていることが好ましい。
【００３５】
また、この発明のプリント配線板の単板接続装置は、前記プリント配線板の単板接続装置において、前記単板前端部載置領域に、前記端部位置検出装置を設置可能な位置検出装置用切欠き部を有していることが好ましい。
【００３６】
また、この発明のプリント配線板の単板接続装置は、前記プリント配線板の単板接続装置において、前記位置検出装置用切欠き部が、切欠き窓であることが好ましい。
【発明の効果】
【００３７】
以上のごとき課題を解決するための手段から理解されるように、この発明によれば、テープ貼付領域の後方側で、前記前側の単板の後端部と前記次の後側の単板の前端部の位置を検出する端部位置検出装置と、前記前側の単板を前方へ搬送する単板固定搬送装置と、前記次の後側の単板を前方へ移動せしめる単板移動搬送装置と、が設けられ、かつ、前記テープ貼付領域の後部に、前記次の後側の単板の前端部をテープ貼付高さ位置で載置する単板前端部載置領域を設け、前記単板移動搬送装置が、前記次の後側の単板を設置する際に前記次の後側の単板の前端部を前記単板前端部載置領域に載置可能な位置で待機するように構成しているので、前記次の後側の単板の前端部がどれほど垂れ下がっていても、次の後側の単板を前記単板移動搬送装置に設置するだけで、前記垂れ下がり部分が前記単板前端部載置領域に載置されるために、タクトタイムが延びることなく効率よく矯正される。
【００３８】
したがって、前記単板移動搬送装置により前記次の後側の単板が前進しても前記テープ貼付領域と単板移動搬送装置との間に挟まってぐしゃぐしゃになることなく、前記前側の単板の後端部と前記次の後側の単板の前端部との間隔を良好な状態に前進でき、接続用テープを貼り付けて接続できる。
【発明を実施するための最良の形態】
【００３９】
以下、この発明の実施の形態について図面を参照して説明する。
【００４０】
この実施の形態に係るプリント配線板（プリント基板）は、薄い板状の部材の表面と裏面の両面に薄い導電膜（たとえば銅箔で形成されている導電膜）が予め設けられており、前記導電膜を加工して製造されるものである。前記薄い板状の部材（素材）は、例えば可撓性を備えているシート状の銅張積層板（通常、「ＣＣＬ」という）であり、ポリイミド製ベースフィルムの両面に導電膜が密着して形成されている。
【００４１】
ここで、前記プリント配線板の製造方法について概略的に説明する。
【００４２】
図６を参照するに、まず、所定の幅を具備した長いシート状のＣＣＬが前記幅方向に伸びた切断線で所定の長さに切断されて単板とされる。なお、上記のＣＣＬの所定の幅は、通常、２５０〜５００ｍｍである（ステップＳ１）。
【００４３】
上記の複数枚の単板（２０枚程度）が各端面を互いに一致するように重ね合わされてから、パンチやドリルを用いて前記複数枚の単板にほぼ同時に貫通孔があけられる。この貫通孔は両面の回路の導通をとるための穴である。このように複数枚の単板をまとめて穿孔することにより作業効率が向上する（ステップＳ２）。
【００４４】
次いで、前記貫通孔をあけた各単板はスルーホールメッキが施されて両面の回路の導通がとれる（ステップＳ３）。
【００４５】
次に、前記スルーホールメッキを施した各単板同士を互いに接続する単板接続工程が行われる。すなわち、前記各単板が厚さ方向で互いに重ならないように各単板の端部同士を互いに近接して（接触させてもしくは僅かに離して）互いに対向させて配置される。この近接している各単板の端部が所定の幅を備えた接続用テープにより前記各単板の厚さ方向の一方の面から前記互いに近接している端面の部位を覆うように貼り付けられて互いに接続されて長く形成され、例えばリール（ボビン）にロール状に巻かれる（ステップＳ４）。
【００４６】
次に、各単板の両面に回路を形成する回路形成工程が行われる。上記のように長く形成されてロール状に巻かれた各単板は、そのロールから繰り出しながら加工装置内に送り込まれ、各単板に加工した後の印刷配線板が別のロールに巻き取られるロール・ツゥ・ロール（Ｒ−Ｒ）方式が採られる。このとき、上記のロール状の単板が別のロールへ送られる際に、各単板の両面に薄い回路が形成される。すなわち、各単板の導電膜の表面をきれいにする整面処理、ドライフィルムラミネート、露光、現像、エッチング及び回路研磨等の工程を経て印刷回路が形成される。
【００４７】
より詳しく説明すると、まず、前記単板の両面（表面と裏面）に設けられている薄い導電膜の表面の酸化被膜を除去して油膜や微細なゴミを除去するための整面処理が行われる。
【００４８】
この整面処理された導電膜の表面にはドライフィルムが貼り付けられ、前記単板の両面に回路を形成するためのマスクが前記ドライフィルムに設置された状態で露光が行われる。
【００４９】
前記パターン基板を取り除いて現像処理が行われ、前記ドライフィルムに前記パターン基板の回路形態が転写される。
【００５０】
続いて、エッチング処理によって上記の導電膜の一部が除去され、前記パターン基板の回路と同じ形態の回路が前記単板の両面に形成される。この後、前記基板の両面に残存している前記ドライフィルムが除去される。
【００５１】
以上のように、複数枚の単板が互いに重ね合わせて貫通孔があけられるので、スルーホールメッキのための貫通孔を効率よく形成できる。さらに、スルーホールメッキが施された各単板を接続してロール状に巻かれた後に、このロール状の各単板が繰り出されて別のロールへ送られる際に、各単板の両面に回路が形成されるので、ほぼ連続的に回路を効率良く形成することができる（ステップＳ５）。
【００５２】
続いて、上記の接続された各単板が分離され（ステップＳ６）、この分離後に、各単板の両面に薄いカバーレイが貼り付けられてから型抜きをして（ステップＳ７）、プリント配線板が製造される。
【００５３】
以上のように、製造されたプリント配線板は、両面に回路を備えていると共に、前記両面の各回路を互いに電気的に接続するためのスルーホールを有するものであり、このプリント配線板を従来よりも効率よく製造することができる。
【００５４】
また、上記のプリント配線板の製造方法によれば、単板同士の接続に接続用テープが使用されているので、単板に与える影響を少なくして（たとえば、接続部位で単板を傷つけることなく）、単板の接続を速やかに容易に行うことができ、接続された単板を分離することも容易になっている。
【００５５】
次に、上記プリント基板の製造方法のうちの単板接続装置１について図面を参照して説明する。この単板接続装置１は上述したステップＳ４の単板接続工程で用いられるものである。
【００５６】
図１を参照するに、単板接続装置１は、所定の幅と所定の長さとを備えて四角形状に形成され可撓性を具備した薄い板伏の単板３（たとえば、プリント配線板の素材）同士を接続するための装置である。
【００５７】
なお、上記のステップＳ１、Ｓ２及びＳ３で形成された単板３は、図４（Ａ）の２点鎖線で示されているように、単板３の４隅に設けた４個の露光機用のアライメント穴３Ｅと、単板３の進む方向のほぼ中央で両側部に設けた２個の露光機のシート送り用穴３Ｓと、単板接続装置１で使用される２個の位置決め用の基準穴３Ｈと、が形成されている。
【００５８】
単板接続装置１の図示しない基台には、図１に示されているように前側の単板３Ａの進む方向の後端部３ＡＲに、次の後側の単板３Ｂの進む方向の前端部３ＢＦが近接して対向するように前記次の後側の単板３Ｂを位置決めして接続用テープ５を貼り付けるためのテープ貼付領域７が設けられている。
【００５９】
上記のテープ貼付領域７には、前記前側の単板３Ａの後端部３ＡＲと前記次の後側の単板３Ｂの前端部３ＢＦとを位置決めするための貼合せテーブル９が設けられており、この貼合せテーブル９で位置決めされた前側の単板３Ａと次の後側の単板３Ｂとを互いに接続するための接続用テープ５を備えたテープ貼付装置１１が貼合せテーブル９から離隔した上方に上下動自在に設けられている。
【００６０】
詳しく説明すると、テープ貼付装置１１の本体部であるフレーム１３の内部には、所定の幅を備えた接続用テープ５がリールに巻かれて格納されており、接続用テープ５が前記各単板３Ａ，３Ｂの突き合わせ部と互いにほぼ一致する方向に繰り出され、フレーム１３の下面より下方へ出た接続用テープ５の先端側がフレーム１３内に備えた押し付けローラにより上から貼合せテーブル９へ押し付けられる構成である。なお、引き出された接続用テープ５の下面側に接着剤層が設けられている。
【００６１】
さらに、フレーム１３が走行して接続用テープ５を各単板３Ａ，３Ｂの端部３ＡＲ，３ＢＦの突き合わせ方向に延伸せしめて前記端部３ＡＲ，３ＢＦを覆うように貼り付けられると、この接続用テープ５がフレーム１３内に備えたカッターなどからなるテープ切断部により切断される構成である。
【００６２】
また、上記のテープ貼付領域７に対して前記搬送方向の前方側には、前記前側の単板３Ａを前記搬送方向の前方側へ移動せしめるための単板固定搬送装置１５が設けられている。
【００６３】
この単板固定搬送装置１５は、前記前側の単板３Ａの厚さ方向の一方の面を真空吸着しつつ前記前側の単板３Ａを進む方向の一方向（図１及び図２に示す矢印の搬送方向）に引いて搬送することにより、前記前側の単板３Ａとこの前側の単板３Ａに接続された前記次の後側の単板３Ｂとを搬送せしめるものである。
【００６４】
上記の単板固定搬送装置１５について詳しく説明すると、単板固定搬送装置１５はこの実施の形態ではベルトコンベヤ１７で構成されており、ベルトコンベヤ１７の無端環状に回転するベルト１９には前側の単板３Ａの搬送方向に並んだ複数の貫通孔２１が複数列具備されている。さらに、上方側を走行するベルト１９の内側には平板状のガイド部材２３が設けられている。このガイド部材２３には前記ベルト１９の各貫通孔２１に対応する位置で前記搬送方向に長く伸びて形成された図示しない複数の溝が複数列具備されている。
【００６５】
前記ガイド部材２３の各溝を形成した面がベルト１９の内側の面に近接又は接触しており、前記ベルト１９におけるガイド部材２３とは反対側の面で、ガイド部材２３の溝とベルト１９の各貫通孔２１とを介してベルト１９の上面にある前側の単板３Ａを真空吸着できるように構成されている。
【００６６】
なお、単板固定搬送装置１５は、ベルト１９がサーボモータなど駆動装置により回転駆動されて正確な位置で停止できるように構成されており、さらに前記駆動装置は図示しない制御装置に接続されている。
【００６７】
また、上記の単板固定搬送装置１５に対して前記搬送方向の前方側（図１、図２において右側）には、前記テープ貼付装置１１で接続されてから前記単板固定搬送装置１５で搬送される接続された複数枚の単板３をリール２５（ボビン）に巻き取る単板巻取装置２７が設けられている。なお、前記リール２５は図示しない前記基台に対して回転自在に設けられており、図示しない電気モータ等のアクチュエータで前記接続された複数の単板３を巻き取るために回転駆動される構成である。
【００６８】
また、上記のテープ貼付領域７において前記搬送方向の後部（図１、図２において左部）、すなわち、貼合せテーブル９の後部には、次の後側の単板３Ｂの前端部３ＢＦの垂れ下がり部分を貼合せテーブル９のテープ貼付高さ位置ＰＬで載置する単板前端部載置領域２９が設けられている。
【００６９】
図３（Ａ）、（Ｂ）を併せて参照するに、上記の貼合せテーブル９の単板前端部載置領域２９の後端部には、この実施の形態では櫛歯形状をなす第１櫛歯部３１を有している。この第１櫛歯部３１には詳しくは後述する端部位置検出装置としての例えば端部位置センサ３３を設けるための位置検出装置用切欠き部としての例えばセンサ用切欠き窓３５が設けられている。
【００７０】
前記位置検出装置用切欠き部としては、センサ用切欠き窓３５に限らず、例えば第１櫛歯部３１の一部を用いた、所謂、単なる切欠きであってもよいが、前記次の後側の単板３Ｂの前端部３ＢＦの幅方向の両端が第１櫛歯部３１に載置されるという点で、センサ用切欠き窓３５であることが望ましい。
【００７１】
その理由としては、端部位置センサ３３は前記後側の単板３Ｂの幅方向の両端が通過する下方位置に設けられることが望ましいので、もし、前記位置検出装置用切欠き部が単なる切欠きであると、前記後側の単板３Ｂの前端部３ＢＦの幅方向の両端が幅方向に垂れ下がっている場合は、前記後側の単板３Ｂが前進するときに、上記の垂れ下がり部分が前記切欠きの前方端に衝突してしまう事態が生じる。しかし、上記のようにセンサ用切欠き窓３５であれば、このような事態を防止できる。
【００７２】
なお、センサ用切欠き窓３５の位置は、単板前端部載置領域２９に載置された後側の単板３Ｂの前端部３ＢＦの位置より前方側に位置している。
【００７３】
また、上記の第１櫛歯部３１の櫛歯形状は、前記次の後側の単板３Ｂの前端部３ＢＦの幅方向の両端を載置可能に配置されていることが望ましい。その理由は、前記後側の単板３Ｂの前端部３ＢＦの幅方向の両端が幅方向に垂れ下がっていても第１櫛歯部３１で必然的に矯正されるので、前記後側の単板３Ｂが何の支障なく前進できるからである。
【００７４】
また、上記のテープ貼付領域７において前記搬送方向の後部（図１、図２において左部）、この実施の形態ではセンサ用切欠き窓３５の内部には、前記前側の単板３Ａの後端部３ＡＲの位置、あるいは前記次の後側の単板３Ｂの前端部３ＢＦの位置を検出するための端部位置検出装置としての例えば端部位置センサ３３が設けられている。この端部位置センサ３３としては、反射ミラーと反射型光電センサの組合せのセンサ、透過型光電センサあるいはその他のセンサなどが用いられる。
【００７５】
この実施の形態の端部位置センサ３３は、図１に示されているように前記搬送方向に対して直交する幅方向で単板３の両側端部が通過する位置付近の下方に配置されている。この実施の形態では、幅方向で４つの端部位置センサ３３が配置されており、外側の２つの端部位置センサ３３は幅が５００ｍｍの単板３の両側端部を検出するもので、内側の２つの端部位置センサ３３は幅が２５０ｍｍの単板３の両側端部を検出するものである。
【００７６】
なお、前記端部位置センサ３３は、前記前側の単板３Ａの後端部３ＡＲの位置、あるいは前記次の後側の単板３Ｂの前端部３ＢＦの位置を検出した検出データを送るように図示しない制御装置に接続されている。
【００７７】
なお、上記の端部位置センサ３３は、スポット的な範囲を検出するのではなく、光線形状が例えば２０ｍｍ×２．５ｍｍの長方形状からなっており、光線形状が単板３に加工されている穴の２倍以上の長さを持つ長辺もので、単板３の検知する端部に対し、長辺が平行に配置されている。
【００７８】
また、上記のテープ貼付領域７、すなわち貼合せテーブル９に対して前記搬送方向の後方側（図１、図２において左側）には、前記次の後側の単板３Ｂを載置可能な平面状の部位（前記テープ貼付領域７の貼合せテーブル９及び単板固定搬送装置１５のベルト１９の上面とほぼ同一平面上に配置された部位）を備えた単板移動搬送装置としての例えば可動テーブル３７が前記搬送方向で貼合せテーブル９の単板前端部載置領域２９へ接近及び離反するように往復動自在に設けられている。
【００７９】
また、前記可動テーブル３７としては、この実施の形態ではその前端部が前記貼合せテーブル９の後端部の第１櫛歯部３１の櫛歯形状と嵌合する逆型櫛歯形状をなす第２櫛歯部３９を有している。
【００８０】
また、可動テーブル３７は、前記後側の単板３Ｂを設置する際の待機位置が前記後側の単板３Ｂの前端部３ＢＦを前記貼合せテーブル９の単板前端部載置領域２９に載置可能な位置とする構成である。
【００８１】
なお、前記可動テーブル３７は、例えばボールねじとナット部材、前記ボールねじを回転駆動するサーボモータなどで構成される図示しないテーブル駆動装置により可動テーブル３７の前記搬送方向の往復移動位置（あるいは移動距離）を正確に作動できるように構成されている。また、テーブル駆動装置は図示しない制御装置に接続されている。
【００８２】
さらに、上記の可動テーブル３７の上面には、前記次の後側の単板３Ｂを設置するために、前記単板３Ｂに設けられた位置決め用の基準穴３Ｈに挿入して係合される単板位置決め部材としての例えば突起４１が前記単板３Ｂの位置決めのために可動テーブル３７の上面から上方へ出没自在に設けられている。なお、前記基準穴３Ｈは可動テーブル３７の上面に位置決めするために単板３Ｂに設けられたものであり、例えば前記スルーホールメッキのための貫通孔をあけるために各単板３Ａ、３Ｂを互いに重ね合わせたときにあけられたものである。
【００８３】
また、前記可動テーブル３７の上面には複数の小さな貫通孔４３が設けられており、これらの各貫通孔４３を介して可動テーブル３７の上面で前側の単板３Ａを真空吸着したり、あるいは前側の単板３Ａをエアーフロートしたりすることができるように構成されている。
【００８４】
前記次の後側の単板３Ｂが上記の可動テーブル３７の上面に位置決めされるときは、前記突起４１を突出させてこの突起４１に前記次の後側の単板３Ｂの基準穴３Ｈを係合させる。また、前記テープ貼付装置１１で各単板３Ａ，３Ｂを互いに接続する際には、可動テーブル３７で前記次の後側の単板３Ｂを真空吸着すると共に、単板固定搬送装置１５で前側の単板３Ａを真空吸着するように構成されている。
【００８５】
また、前記各単板３Ａ，３Ｂが接続された後に単板固定搬送装置１５で前側の単板３Ａと共に接続された後側の単板３Ｂを搬送するときは、突起４１が可動テーブル３７の上面より下方へ没入し、可動テーブル３７の上面でエアーフロートされるように構成されている。
【００８６】
次に、上記の単板接続装置１の動作について説明する。
【００８７】
単板接続装置１の単板接続工程としては、前側の単板３Ａが単板固定搬送装置１５のベルト１９により搬送方向の前方へ搬送される際に、図１及び図４（Ａ）の２点鎖線で示されているように前側の単板３Ａの進む方向の後端部３ＡＲの位置が端部位置センサ３３で検出され、この検出されたデータが制御装置に送られる。制御装置では前側の単板３Ａの後端部３ＡＲの位置のデータに基づいて計算し、前記前側の単板３Ａの後端部３ＡＲをテープ貼付領域７の所定の位置で停止するように単板固定搬送装置１５に指令が与えられる。
【００８８】
前記前側の単板３Ａが図１及び図４（Ａ）の矢印で示されているように前記搬送方向の前方へ搬送されて端部位置センサ３３を通過すると、図５（Ａ）に示されているように端部位置センサ３３と貼合わせ中央位置ＴＣＬの間の距離Ｄだけ搬送され、前記前側の単板３Ａの後端部３ＡＲがテープ貼付領域７の所定の位置、すなわち図５（Ａ）に示されているように貼合わせ中央位置ＴＣＬで停止する。
【００８９】
なお、この図５（Ａ），（Ｂ）では、貼合せテーブル９が前方側に長く延伸され、この延伸された部分に前記前側の単板３Ａを停止時に真空吸着するための真空吸着装置等が備えられた形態であり、貼合せテーブル９の内部にはヒータ９Ａがテープ貼付領域７に位置して埋め込まれているが、前記真空吸着装置やヒータがなくてもよい。
【００９０】
上記の前側の単板３Ａは単板固定搬送装置１５のベルト１９の上面で真空吸着される。なお、前記ベルト１９が回転駆動されるときは単板巻取装置２７も同期して回転駆動され、接続された複数の単板３が前方側のリール２５に巻き取られる。
【００９１】
次いで、図４（Ａ）の２点鎖線で示されている次の後側の単板３Ｂは、後側の単板３Ｂに設けられた位置決め用の基準穴３Ｈに可動テーブル３７の上面に突出した突起４１が挿入されることにより、図１及び図４（Ｂ）に示されているように可動テーブル３７の上面に位置決めされる。そして、前記次の後側の単板３Ｂは可動テーブル３７の上面で真空吸着される。
【００９２】
上記の後側の単板３Ｂにおいて可動テーブル３７の第２櫛歯部３９の前端より前方へ突出した部分は、前記後側の単板３Ｂがメッキ無しで薄いときは特に、それ自体の自重や変形により垂れ下がりの状態が生じる場合があり、以下、この垂れ下がりの状態で説明する。
【００９３】
なお、図３（Ａ），図５（Ａ）に示されているように、貼合せテーブル９の第１櫛歯部３１の後端と可動テーブル３７の第２櫛歯部３９の深さの後端面との距離をＡとし、貼合せテーブル９の第１櫛歯部３１の深さの前端面と可動テーブル３７の第２櫛歯部３９の前端との距離をＢとし、貼合せテーブル９の単板前端部載置領域２９に載置される前記後側の単板３Ｂの前端部３ＢＦと貼合わせ中央位置ＴＣＬとの距離をＣとし、端部位置センサ３３と貼合わせ中央位置ＴＣＬの間の距離をＤとし、貼合せテーブル９の第１櫛歯部３１の後端と可動テーブル３７の第２櫛歯部３９の前端との距離をＥとし、第１櫛歯部３１と第２櫛歯部３９の深さをそれぞれほぼ同じ寸法Ｆとし、前記距離Ａ、Ｂをほぼ同じ寸法（Ａ≒Ｂ）とした場合、上記の距離Ａ（≒Ｂ）は距離Ｃより大きい寸法である。また、上記の後側の単板３Ｂにおいて可動テーブル３７の第２櫛歯部３９の前端より前方へ突出した部分は、上記の距離Ｅより大きい寸法である。
【００９４】
したがって、後側の単板３Ｂが可動テーブル３７の上面に位置決めされると、図３（Ａ），図４（Ｂ）及び図５（Ａ）に示されているように、後側の単板３Ｂの前端部３ＢＦが必然的に貼合せテーブル９の単板前端部載置領域２９に載置されることになる。その結果、前記後側の単板３Ｂの前端部３ＢＦの垂れ下がりの状態が必然的に矯正されて貼合せテーブル９のテープ貼付高さ位置ＰＬに位置することになる。
【００９５】
次いで、作業者が可動テーブル３７を作動するスイッチをＯＮすることにより、可動テーブル３７が図１及び図４（Ｂ）の矢印で示されているように前記次の後側の単板３Ｂの搬送方向の前方へ前進し、前記次の後側の単板３Ｂの進む方向の前端部３ＢＦの位置が端部位置センサ３３で検出され、この検出されたデータが制御装置に送られる。
【００９６】
制御装置では前記後側の単板３Ｂの前端部３ＢＦの位置のデータと、すでにテープ貼付領域７の貼合せテーブル９の所定の位置で停止している前記前側の単板３Ａの後端部３ＡＲの位置のデータに基づいて計算し、テープ貼付領域７の所定の前記前側の単板３Ａの後端部３ＡＲと適正な間隔を介して近接する位置で停止するように可動テーブル３７に指令が与えられる。
【００９７】
可動テーブル３７が前進すると、図３（Ｂ）、図４（Ｃ）及び図５（Ｂ）に示されているように可動テーブル３７の前端部に備えた第２櫛歯部３９の逆型櫛歯形状が前記貼合せテーブル９の後端部の第１櫛歯部３１の櫛歯形状と嵌合し、可動テーブル３７は、前記前側の単板３Ａの後端部３ＡＲと前記後側の単板３Ｂの前端部３ＢＦとの貼合わせ間隔が適正な位置で停止する。
【００９８】
なお、後側の単板３Ｂの前端部３ＢＦが貼合せテーブル９の単板前端部載置領域２９に載置されても、後側の単板３Ｂの前端部３ＢＦの変形が大きいために上方へ膨らむようになる場合は、作業者が手で上から軽く押さえることにより上記の変形は矯正できる。この矯正状態で可動テーブル３７を前進せしめれば、後側の単板３Ｂが貼合せテーブル９に接した状態で前進するので、前記後側の単板３Ｂの前端部３ＢＦがテープ貼付領域７の貼合わせ中央位置ＴＣＬの所定位置で正確に停止することになる。すなわち、上記の貼合わせ間隔精度が向上する。
【００９９】
また、この実施の形態では、貼合せテーブル９の後端部に第１櫛歯部３１を設け、可動テーブル３７の前端部に前記第１櫛歯部３１と嵌合する第２櫛歯部３９を設けたので、可動テーブル３７の前端より前方へ突出する単板３Ｂの部分を小さくできる効果と、可動テーブル３７の移動距離を短くできる効果がある。
【０１００】
例えば、図３（Ａ）に示されている寸法で説明すると、可動テーブル３７の前端より前方へ突出する部分の長さ寸法は、距離Ｅより僅かに大きくするだけでよい。上記の第１櫛歯部３１と第２櫛歯部３９を設けない場合は、距離Ｅを距離Ｃより大きく（Ｅ＞Ｃ）する必要があるが、第１櫛歯部３１と第２櫛歯部３９を設けた場合は、距離Ａを距離Ｃより大きく（Ａ＞Ｃ）する必要がある。しかし、後者の場合の距離Ｅは（Ａ−Ｆ）となるので、前者の場合より第１櫛歯部３１（及び第２櫛歯部３９）の深さＦの分だけ小さくできる。したがって、可動テーブル３７の移動距離も小さくできる。
【０１０１】
次いで、テープ貼付装置１１のフレーム１３が下降すると、予めフレーム１３の内部のリールから繰り出された接続用テープ５の先端側がフレーム１３の下面側に引き出されているので、接続用テープ５の先端側が押し付けローラにより上から前記貼合せテーブル９上の前記単板３Ａ，３Ｂの各端部３ＡＲ，３ＢＦの図２において左端側へ押し付けられて貼り付けられる。それからテープ貼付装置１１のフレーム１３が図２において右方へ移動することにより、接続用テープ５がリールから引き出されつつ押し付けローラにより押し付けられるので、接続用テープ５が前記各単板３Ａ，３Ｂの端部３ＡＲ，３ＢＦを覆うように貼り付けられて前記各単板３Ａ，３Ｂが接続される。その後、接続用テープ５が図２において右端側でテープ切断部により切断される。前記フレーム１３は原位置へ復帰する。
【０１０２】
制御装置からの指令により、突起４１が可動テーブル３７の上面より下方へ没入し、可動テーブル３７の上面の複数の小さな貫通孔４３からエアが吹き出して前記後側の単板３Ｂがエアーフロートされるように切り替えられる。一方、単板固定搬送装置１５のベルト１９が再び駆動して前側の単板３Ａが前記搬送方向の前方へ搬送されるので、前側の単板３Ａに接続された後側の単板３Ｂも共に前方へ搬送される。これと同時に、前記可動テーブル３７は後退して原位置へ復帰すると共に複数の小さな貫通孔４３からのエア吹き出しは停止し、突起４１が可動テーブル３７の上面より上方へ突出する。
【０１０３】
また、上記の前側の単板３Ａと後側の単板３Ｂが搬送方向の前方へ搬送される際に、前述したように、前記後側の単板３Ｂの後端部３ＢＲの位置が端部位置センサ３３で検出され、この検出されたデータに基づいて前記後側の単板３Ｂの後端部３ＢＲがテープ貼付領域７の所定の位置で停止し、図１及び図４（Ａ）に示されるような初期状態になる。
【０１０４】
以上のような動作が繰り返されることによって、複数枚の各単板３Ａ、３Ｂが接続用テープ５で長く接続されることになる。
【０１０５】
以上のことから、この実施の形態の単板接続装置１によれば、テープ貼付領域７の後方側で、前記前側の単板３Ａの後端部３ＡＲと前記次の後側の単板３Ｂの前端部３ＢＦの位置を検出する端部位置センサ３３と、前記前側の単板３Ａを前方へ搬送する単板固定搬送装置１５と、前記次の後側の単板３Ｂを前方へ移動せしめて位置決めする単板移動搬送装置としての可動テーブル３７と、を設け、前記端部位置センサ３３による前記前側の単板３Ａの後端部３ＡＲの位置データ、及び前記次の後側の単板３Ｂの前端部の位置データに基づいて、単板固定搬送装置１５による前記前側の単板３Ａの移動距離と、可動テーブル３７による前記次の後側の単板３Ｂの移動距離と、を制御することにより、前記前側の単板３Ａの後端部３ＡＲと前記次の後側の単板３Ｂの前端部３ＢＦとの間隔を適正な位置に接近させることができる。換言すれば、前記単板３Ａ，３Ｂの突き合わせ部の間隔をできるだけ狭く（近接し）、決して単板３の厚み方向で重ならない位置へ制御することができる。
【０１０６】
しかも、前記テープ貼付領域７の後部に、前記後側の単板３Ｂの前端部３ＢＦをテープ貼付高さ位置ＰＬで載置する単板前端部載置領域２９を設け、可動テーブル３７が、前記後側の単板３Ｂを設置する際に前記後側の単板３Ｂの前端部３ＢＦを前記単板前端部載置領域２９に載置可能な位置で待機するように構成しているので、前記後側の単板３Ｂの前端部３ＢＦがどれほど垂れ下がっていても、後側の単板３Ｂを前記可動テーブル３７に設置するだけで、前記垂れ下がり部分は前記単板前端部載置領域２９に載置されるために、タクトタイムが延びることなく効率よく矯正される。
【０１０７】
したがって、前記後側の単板３Ｂが前進しても前記貼合せテーブル９と可動テーブル３７との間に挟まってぐしゃぐしゃになることなく、前記前側の単板３Ａの後端部３ＡＲと前記次の後側の単板３Ｂの前端部３ＢＦとの間隔を良好な状態に前進できる。
【０１０８】
したがって、単板３Ａ、３Ｂ同士を良好な状態で接続用テープ５を貼り付けて接続できるので、この接続された複数枚の単板３がロール状に巻かれてもしわや膨らみが生じないし、後工程で接続用テープ５の剥離作業が良好になるので、歩留まりを向上させることができる。
【０１０９】
また、上記の各動作が自動的に行われることにより、複数枚の各単板３Ａ、３Ｂの接続作業を効率よく行うことができる。
【０１１０】
なお、この発明は前述した発明の実施の形態に限定されることなく、その他の態様で実施し得るものである。例えば、可動テーブル３７が前進したときに、可動テーブル３７の先端が貼合せテーブル９の下にもぐりこむような構造や、折れ曲がるような構造にして貼合せテーブル９と干渉しないようにしても対応可能である。
【図面の簡単な説明】
【０１１１】
【図１】この発明の実施の形態の単板接続装置を概略的に示す斜視図である。
【図２】図１の動作を説明する斜視図である。
【図３】（Ａ）、（Ｂ）は、図１の単板接続装置の貼合わせテーブルと可動テーブルの拡大した平面図である。
【図４】（Ａ）〜（Ｃ）は、図１の単板接続装置を平面的な動作で概略的に示す平面図である。
【図５】（Ａ）、（Ｂ）は、図１の単板接続装置の動作を概略的に示す正面図である。
【図６】プリント配線板の製造を示すフローチャート図である。
【図７】従来における単板接続装置を概略的に示す斜視図である。
【図８】（Ａ）〜（Ｄ）は、図７の単板接続装置において後側の単板の前端部が垂れ下がっているときの動作を示す概略説明図である。
【符号の説明】
【０１１２】
１  単板接続装置
３、３Ａ，３Ｂ  単板
３Ｈ  位置決め用の基準穴
５  接続用テープ
７  テープ貼付領域
９  貼合せテーブル
１１  テープ貼付装置
１５  単板固定搬送装置
１７  ベルトコンベヤ
２５  リール
２７  単板巻取装置
２９  単板前端部載置領域
３１  第１櫛歯部
３３  端部位置センサ（端部位置検出装置）
３５  センサ用切欠き窓（位置検出装置用切欠き部）
３７  可動テーブル（単板移動位置決め装置）
３９  第２櫛歯部
４１  突起
ＴＣＬ  中央位置
ＰＬ  テープ貼付高さ位置
【図１】
0004778796.tif 000002
【図２】
0004778796.tif 000003
【図３】
0004778796.tif 000004
【図４】
0004778796.tif 000005
【図５】
0004778796.tif 000006
【図６】
0004778796.tif 000007
【図７】
0004778796.tif 000008
【図８】
0004778796.tif 000009